(57)【特許請求の範囲】
【請求項１】
薄切りされた試料を、キャリアテープに保持してスライドガラスの正面に送り、スライドガラス上に貼り付ける際の薄切試料貼付方法であって、
スライドガラスの正面に前記試料を送った後、スライドガラスの正面でキャリアテープを弛ませることによって、前記試料をスライドガラス上に貼り付けることを特徴とする薄切試料貼付方法。
【請求項２】
前記試料を前記スライドガラス上に貼り付けた後、前記試料の一方の端から徐々にキャリアテープを引き剥がすことによって、スライドガラス上に前記試料を移すことを特徴とする請求項１に記載の薄切試料貼付方法。
【請求項３】
前記スライドガラスの正面に前記試料を送った後、キャリアテープの走行方向に関して前記スライドガラスよりも前方側でキャリアテープをピンチローラで掴み、前記スライドガラスよりも後方側からキャリアテープを前方に送り出すことによって、前記スライドガラスの正面でキャリアテープを弛ませることを特徴とする請求項１に記載の薄切試料貼付方法。
【請求項４】
前記試料を前記スライドガラス上に貼り付けた後、前記スライドガラスよりも後方側からキャリアテープを後方に送り、前記試料の後方側の端から徐々にキャリアテープを引き剥がすことによって、スライドガラス上に前記試料を移すことを特徴とする請求項３に記載の薄切試料貼付方法。
【請求項５】
前記スライドガラスの正面に前記試料を送った後、キャリアテープの走行方向に関して前記スライドガラスよりも後方側でキャリアテープをピンチローラで掴み、前記スライドガラスよりも前方側からキャリアテープを後方に送り出すことによって、前記スライドガラスの正面でキャリアテープを弛ませることを特徴とする請求項１に記載の薄切試料貼付方法。
【請求項６】
前記試料を前記スライドガラス上に貼り付けた後、前記スライドガラスよりも前方側からキャリアテープを前方に送り、前記試料の前方側の端から徐々にキャリアテープを引き剥がすことによって、スライドガラス上に前記試料を移すことを特徴とする請求項５に記載の薄切試料貼付方法。
【請求項７】
前記スライドガラスの正面に前記試料を送った後、キャリアテープの走行方向に関して前記スライドガラスよりも前方側でキャリアテープを第一ピンチローラで掴むとともに、前記スライドガラスよりも後方側でキャリアテープを第二ピンチローラで掴み、次いで、第一ピンチローラと第二ピンチローラの間隔を縮めることによって、前記スライドガラスの正面でキャリアテープを弛ませることを特徴とする請求項１に記載の薄切試料貼付方法。
【請求項８】
前記試料を前記スライドガラス上に貼り付けた後、前記第一ピンチローラまたは前記第二ピンチローラのいずれか一方を上方へ移動し、前記試料の一方の側から徐々にキャリアテープを引き剥がすことによって、スライドガラス上に前記試料を移すことを特徴とする請求項７に記載の薄切試料貼付方法。
【発明の詳細な説明】
【０００１】
【発明の属する技術分野】
本発明は、ミクロトームなどによって薄切りされた試料をキャリアテープに貼り付けて移送し、次いで、スライドガラス上に貼り付ける際の貼付方法に係る。
【０００２】
【従来の技術】
図７から図９に、従来の薄切試料の貼付方法の概要を示す。
【０００３】
図７に示す様に、ミクロトーム（図示せず）において薄切りされた試料１は、キャリアテープ２の下面に貼り付けられて移送され、スライドガラス３の正面（上方）へ送られる。スライドガラス３の正面に隣接する位置には、キャリアテープ２の走行方向に関してスライドガラス３よりも前方側にガイドローラ５が、後方側にガイドローラ６が、それぞれ配置されている。
【０００４】
試料１をスライドガラス３の正面で停止させた後、図８に示す様に、キャリアテープ２に張力を与えてガイドローラ５とガイドローラ６の間でキャリアテープ２を水平に張った状態で、ガイドローラ５及びガイドローラ６を同時に下方へ移動し、試料１をスライドガラス３に対して押し付ける。これによって、試料１がスライドガラス３上に貼り付けられる。次いで、図９に示す様に、ガイドローラ５及びガイドローラ６を同時に上方へ移動し、試料１の上面からキャリアテープ２を引き剥がし、試料１をスライドガラス３側に移す。
【０００５】
（従来の方法の問題点）
試料１をスライドガラス３上に貼り付ける際に、キャリアテープ２に張力が作用したままの状態なので、試料１がキャリアテープ２とスライドガラス３の間で圧迫され、試料１に損傷が生ずることがある。
【０００６】
また、試料１からキャリアテープ２を引き剥がす際、試料１の上面全体から同時にキャリアテープ２を引き剥がすことになるので、キャリアテープ２が剥がれにくく、やはり試料１に損傷が生ずることがある。
【０００７】
【発明が解決しようとする課題】
本発明は、以上の様な従来の薄切試料の貼付方法の問題点に鑑み成されたもので、本発明の目的は、キャリアテープに貼り付けて移送された薄切試料を更にスライドガラス上に貼り付ける際、薄切試料に損傷を与えることが少ない貼付方法を提供することにある。
【０００８】
【課題を解決するための手段】
本発明の薄切試料貼付方法は、薄切りされた試料を、キャリアテープに保持してスライドガラスの正面に送り、スライドガラス上に貼り付ける際の薄切試料貼付方法であって、
スライドガラスの正面に前記試料を送った後、スライドガラスの正面でキャリアテープを弛ませることによって、前記試料をスライドガラス上に貼り付けることを特徴とする。
【０００９】
好ましくは、前記試料を前記スライドガラス上に貼り付けた後、前記試料の一方の端から徐々にキャリアテープを引き剥がすことによって、スライドガラス上に薄切試料を移す。
【００１０】
本発明の薄切試料貼付方法によれば、キャリアテープに弛みを与えた状態で、試料をスライドガラス上に貼り付けるので、試料がキャリアテープとスライドガラスとの間で圧迫されて損傷を受けることがなくなる。また、試料からキャリアテープを引き剥がす際、試料の一方の端から徐々にキャリアテープを引き剥がすので、試料が損傷を受けるおそれが従来の場合と比べて減少する。
【００１１】
例えば、前記スライドガラスの正面に前記試料を送った後、キャリアテープの走行方向に関して前記スライドガラスよりも前方側でキャリアテープをピンチローラで掴み、前記スライドガラスよりも後方側からキャリアテープを前方に送り出すことによって、前記スライドガラスの正面でキャリアテープを弛ませることができる。
【００１２】
この場合、好ましくは、前記試料を前記スライドガラス上に貼り付けた後、前記スライドガラスよりも後方側からキャリアテープを後方に送り、前記試料の後方側の端から徐々にキャリアテープを引き剥がすことによって、スライドガラス上に薄切試料を移す。
【００１３】
あるいは、前記スライドガラスの正面に前記試料を送った後、キャリアテープの走行方向に関して前記スライドガラスよりも後方側でキャリアテープをピンチローラで掴み、前記スライドガラスよりも前方側からキャリアテープを後方に送り出すことによって、前記スライドガラスの正面でキャリアテープを弛ませることができる。
【００１４】
この場合、好ましくは、前記試料を前記スライドガラス上に貼り付けた後、前記スライドガラスよりも前方側からキャリアテープを前方に送り、前記試料の前方側の端から徐々にキャリアテープを引き剥がすことによって、スライドガラス上に薄切試料を移す。
【００１５】
あるいは、前記スライドガラスの正面に前記試料を送った後、キャリアテープの走行方向に関して前記スライドガラスよりも前方側でキャリアテープを第一ピンチローラで掴むとともに、前記スライドガラスよりも後方側でキャリアテープを第二ピンチローラで掴み、次いで、第一ピンチローラと第二ピンチローラの間隔を縮めることによって、前記スライドガラスの正面でキャリアテープを弛ませることができる。
【００１６】
この場合、好ましくは、前記試料を前記スライドガラス上に貼り付けた後、前記第一ピンチローラまたは前記第二ピンチローラのいずれか一方を上方へ移動し、前記試料の一方の側から徐々にキャリアテープを引き剥がすことによって、スライドガラス上に薄切試料を移す。
【００１７】
【発明の実施の形態】
（例１）
図１及び図２を用いて、本発明の薄切試料貼付方法の一例について説明する。
【００１８】
この例では、図１に示す様に、スライドガラス３の正面（上方）に隣接する位置には、キャリアテープ２の走行方向に関してスライドガラス３よりも前方側にピンチローラ１１が、後方側にガイドローラ１２が、それぞれ配置されている。
【００１９】
ミクロトーム（図示せず）において薄切りされた試料１は、キャリアテープ２の下面に貼り付けられて移送され、スライドガラス３の正面へ送られる。試料１がスライドガラス３の正面に到着したところで、キャリアテープ２の走行を停止する。次いで、前方のピンチローラ１１でキャリアテープ２を掴み、その部分を固定する。次いで、後方側からガイドローラ１２を介してキャリアテープ２を低速で前方へ送り出す。これによって、図１に示す様に、ピンチローラ１１とガイドローラ１２の間でキャリアテープ２が徐々に弛んで行き、試料１の下面がスライドガラス３上に密着する。
【００２０】
試料１の下面全体がスライドガラス３上に貼り付けられた後、図２に示す様に、ガイドローラ１２を介してキャリアテープ２を低速で後方に引き戻す。これによって、試料１の後方側の端から徐々にキャリアテープ２が引き剥がされ、最終的にスライドガラス３上に試料１が移される。
【００２１】
なお、上記の例において、ピンチローラ１１及びガイドローラ１２の配置を入れ替えることもできる。この場合、前方側からガイドローラ１２を介してキャリアテープ２を低速で後方に逆送してキャリアテープ２を弛ませ、試料１をスライドガラス３上に貼り付ける。次いで、ガイドローラ１２を介してキャリアテープ２を低速で前方に引き出し、試料１の前方側の端から徐々にキャリアテープ２を引き剥す。
【００２２】
（例２）
図３から図６を用いて、本発明の薄切試料貼付方法の他の例について説明する。
【００２３】
この例では、図３に示す様に、スライドガラス３の正面（上方）に隣接する位置には、キャリアテープ２の走行方向に関してスライドガラス３よりも前方側にピンチローラ２１が、後方側にピンチローラ２２が、それぞれ配置されている。
【００２４】
ミクロトーム（図示せず）において薄切りされた試料１は、キャリアテープ２の下面に貼り付けられて移送され、スライドガラス３の正面へ送られる。試料１がスライドガラス３の正面に到着したところで、キャリアテープ２の走行を停止する。次いで、図３に示す様に、前後のピンチローラ２１、２２でキャリアテープ２を掴む。次いで、図４に示す様に、前方側のピンチローラ２１を後方に移動するとともに、後方側のピンチローラ２２を前方に移動することによって、ピンチローラ２１、２２の間の間隔を縮める。これによって、ピンチローラ２１とピンチローラ２２の間でキャリアテープ２が徐々に弛んで行き、図５に示す様に、試料１の下面がスライドガラス３上に密着する。
【００２５】
試料１の下面全体がスライドガラス３上に貼り付けられた後、図６に示す様に、一方のピンチローラ２１を低速で上方へ移動する。これによって、試料１の一方の端から徐々にキャリアテープ２が引き剥がされ、最終的にスライドガラス３上に試料１が移される。
【００２６】
【発明の効果】
本発明の薄切試料貼付方法によれば、試料に損傷を与えることなく試料をスライドガラス上に貼り付けることができる。また、試料に損傷を与えることなくキャリアテープを試料から引き剥がすことができる。
【図面の簡単な説明】
【図１】本発明の薄切試料貼付方法の一例を説明する図。
【図２】本発明の薄切試料貼付方法の一例を説明する図。
【図３】本発明の薄切試料貼付方法の他の例を説明する図。
【図４】本発明の薄切試料貼付方法の他の例を説明する図。
【図５】本発明の薄切試料貼付方法の他の例を説明する図。
【図６】本発明の薄切試料貼付方法の他の例を説明する図。
【図７】従来の薄切試料貼付方法の一例を説明する図。
【図８】従来の薄切試料貼付方法の一例を説明する図。
【図９】従来の薄切試料貼付方法の一例を説明する図。
【符号の説明】
１・・・試料、
２・・・キャリアテープ、
３・・・スライドガラス、
５・・・ガイドローラ、
６・・・ガイドローラ、
１１・・・ピンチローラ、
１２・・・ガイドローラ、
２１・・・ピンチローラ、
２２・・・ピンチローラ。
【図１】
0003745556.tif 000002
【図２】
0003745556.tif 000003
【図３】
0003745556.tif 000004
【図４】
0003745556.tif 000005
【図５】
0003745556.tif 000006
【図６】
0003745556.tif 000007
【図７】
0003745556.tif 000008
【図８】
0003745556.tif 000009
【図９】
0003745556.tif 000010